(57)【要約】【課題】  電子機器の特定の機能に関する連続的な動作の変化量をユーザが任意に変更できるようにしたリモコンにおける信号送信方法を提供すること。  【解決手段】  リモコン１０のキー操作において、特定のキーを一定時間以上長押しした場合の信号送信速度と当該信号送信速度に対応する信号送信方式とをユーザが任意に設定することができるようにすることで、一定時間の長押しに対応する信号送信パルス数と信号送信データ数を可変としたリモコンにおける信号送信方法を提供する。    【選択図】  図１
2006229664.tif 000002
【特許請求の範囲】
【請求項１】
電子機器とともに使用されるリモートコントロールユニットにおける信号送信方法であって、
当該リモートコントロールユニットは、
当該電子機器の特定の機能に関する前記リモートコントロールユニットのキー操作の長押し時間を計測する長押し時間計測工程を備え、
当該電子機器本体は、当該電子機器の特定の機能に係わる動作の速度を連続的に変化させるための信号送信速度を決定するために、
複数の動作モードから任意の一つの動作モードを選択し設定する動作モード設定工程と、
前記リモートコントロールユニットに備えた長押し時間計測工程において計測される前記リモートコントロールユニットのキー操作の長押し時間に対応して複数の信号送信モードの一つに設定する信号送信モード設定工程と、を備え、
前記特定の機能の連続的な動作の変化量を決定するために、前記複数の動作モードと前記複数の信号送信モードとに対応して予め設けられた信号送信パルス数を参照して、前記動作モード設定工程において設定された動作モードと前記信号送信モード設定工程において設定された信号送信モードとにより、ユーザが前記リモートコントロールユニットの特定の機能に係わるキーを長押ししたときの当該キーの長押し時間に対応して、前記特定の機能の連続的な動作の変化量を規定する信号送信パルス数を、当該電子機器本体において自動的に決定するようにしたリモートコントロールユニットにおける信号送信方法において、
さらに、前記の予め設けられた信号送信パルス数をユーザが任意に変更し設定するための信号送信パルス数設定工程を、当該電子機器本体に備えた上記リモートコントロールユニットにおける信号送信方法。
【請求項２】
前記信号送信パルス数の一単位当たりの連続的な動作の変化量を規定する信号送信方式について、ユーザが任意に変更し設定することのできる動作変化量設定工程を当該電子機器本体に備えたことを特徴とする請求項１に記載のリモートコントロールユニットにおける信号送信方法。
【請求項３】
前記電子機器の特定の機能に係わるキーが長押しされた場合に、前記複数の動作モードの中から当該キーの特定の機能に対応する特定の動作モードが選択されるようにしたことを特徴とする請求項１又は請求項２に記載のリモートコントロールユニットにおける信号送信方法。
【請求項４】
前記電子機器の特定の機能に係わる動作の速度をユーザが設定する場合に、前記信号送信速度と前記信号送信方式との設定をリモートコントロールユニット単体で完結できるようにしたことを特徴とする請求項１、請求項２、又は請求項３に記載のリモートコントロールユニットにおける信号送信方法。
【発明の詳細な説明】
【技術分野】
【０００１】
本発明は、リモートコントロールユニットにおける信号送信方法に関し、特に電子機器の特定の機能に係わる連続的な動作量をユーザが任意に変更できるようにしたリモートコントロールユニットにおける信号送信方法に関する。
【背景技術】
【０００２】
従来、テレビ受像機やオーディオ機器等の電子機器において音量調整や受信チャンネル切換え等の調整操作を行う場合に、例えばユーザの意図に反して急激に音量が大きくなってしまうというような不都合があった。こうした不都合を解消するために、特許文献１では、タイマーキーの長押し時間に対応して、機器の特定の機能に係わる複数の動作速度の中から所望の動作速度をユーザが任意に選択できるようにした時間設定装置が開示されている。又、特許文献２では、例えば音量調整用回転つまみの回転方向に応じて二種類の異なる動作速度を適用することにより、意図せぬ急激な音量アップという事態を回避しつつ、音量の急速減少を可能とする電子機器の調整操作装置が開示されている。
【０００３】
【特許文献１】特開平１１−１１３７４１
【特許文献２】特開平９−０９３６８８
【発明の開示】
【発明が解決しようとする課題】
【０００４】
上記の従来技術により、ユーザの意図に反する調整はある程度回避できるようになったが、なお下記のような不都合が残されている。すなわち特許文献１においては、タイマーキーの長押しによって、機器の特定の機能に係わる連続的な操作速度を、速・中・遅という三種類のモードの中から選択できるようになったが、夫々のモードに対する動作の可変量が固定されているため、例えば速・中・遅の三種類のモードの中から速を選択した場合に、さらに操作速度を速めたいとユーザが希望するときには、その希望に応えることができない。又、特許文献２においても、特許文献１の場合と同様、機器の特定の機能に係わる連続的な動作の可変量が固定されているため、機器の特定の機能に係わるユーザの所望する操作速度が実現できないという制約がある。
【０００５】
特許文献１、特許文献２に限らず、一般的に適用されている従来技術においては、電子機器とともに使用されるリモートコントロールユニット（以下、リモコンという）の操作キーを長押しした場合に、特定の機能の連続的な動作の変化量を規定する信号送信パルス数が当該機器によって固定されており、ユーザが任意に設定できない仕様になっている。さらに、一般的に適用されている従来技術においては、リモコンの操作キーの長押しによって機器の特定の機能に係わる連続的な操作速度を変更することが可能になっていても、加速ポイントや加速可変量をユーザが任意に設定できる仕様になっていないため、操作キーの長押しが一定時間以上継続すると、操作速度がユーザの意図に反してさらに加速されてしまうといった不都合が生ずるなど、微調整が効かないという問題点が残されている。
【０００６】
例えば深夜にテレビ番組を視聴するときなど、音量ダウンキーを一段階押下げると音量が小さくなりすぎて聞きにくくなり、音量アップキーを一段階押上げると今度は音量が大きくなりすぎてしまうような場合がある。ユーザがその中間の音量による出力を所望する場合にも、音量の連続的な変化を規定する信号送信パルス数が機器によって固定されているため、微調整が効かないという不都合がある。
【０００７】
本発明は、従来技術の上述の問題点を克服するために、電子機器とともに使用されるリモコンにおいて、当該リモコンの特定キーの長押しによる特定機能の連続的な動作の変化量を規定する信号送信速度をユーザが任意に設定できるようにし、さらに当該信号送信速度に対応する信号送信パルス数の一単位当たりの連続的な動作の変化量をユーザが任意に設定することができるようにすることによって、当該リモコンの特定キーの長押しによる特定機能の連続的な動作の変化量をユーザが任意に変更できるようにした信号送信方法を提供することを課題とする。
【課題を解決するための手段】
【０００８】
上記課題を解決するために、本発明は、電子機器とともに使用されるリモコンにおける信号送信方法であって、
当該リモコンは、当該電子機器の特定の機能に関する前記リモコンのキー操作の長押し時間を計測する長押し時間計測工程を備え、
当該電子機器本体は、当該電子機器の特定の機能に係わる動作の速度を連続的に変化させるための信号送信速度を決定するために、
複数の動作モードから任意の一つの動作モードを選択し設定する動作モード設定工程と、
前記リモコンに備えた長押し時間計測工程において計測される前記リモコンのキー操作の長押し時間に対応して複数の信号送信モードの一つに設定する信号送信モード設定工程とを備え、
前記特定の機能の連続的な動作の変化量を決定するために、前記複数の動作モードと前記複数の信号送信モードとに対応して予め設けられた信号送信パルス数を参照して、前記動作モード設定工程において設定された動作モードと前記信号送信モード設定工程において設定された信号送信モードとにより、ユーザが前記リモコンの特定の機能に係わるキーを長押ししたときの当該キーの長押し時間に対応して、前記特定の機能の連続的な動作の変化量を規定する信号送信パルス数を、当該電子機器本体において自動的に決定するようにしたリモコンにおける信号送信方法において、
さらに、前記の予め設けられた信号送信パルス数をユーザが任意に変更し設定するための信号送信パルス数設定工程を、当該電子機器本体に備えた上記リモコンにおける信号送信方法を提供する。
【０００９】
さらに本発明は、前記リモコンにおける信号送信方法において、前記信号送信パルス数の一単位当たりの連続的な動作の変化量を規定する信号送信方式について、ユーザが任意に変更し設定することのできる動作変化量設定工程を当該電子機器本体に備えたリモコンにおける信号送信方法を提供するものであり、さらに、前記電子機器の特定の機能に係わるキーが長押しされた場合に、前記複数の動作モードの中から当該キーの特定の機能に対応する特定の動作モードが選択されるようにしたリモコンにおける信号送信方法を提供する。又、本発明は、前記電子機器の特定の機能に係わる動作の速度をユーザが設定する場合に、前記信号送信速度と前記信号送信方式との設定をリモコン単体で完結できるようにしたリモコンにおける信号送信方法を提供するものである。
【発明の効果】
【００１０】
本発明により、リモコンからの信号送信速度（信号送信パルス数）と信号送信方式（信号送信データ数）をユーザが任意に設定することのできるリモコンによる信号送信方法を提供することができる。これにより、設定音量調整や受信チャンネル変更等の操作を短時間の操作キーの長押しで急激に行いたい場合には、予め急激な変化をもたらすように信号送信速度（信号送信パルス数）と信号送信方式（信号送信データ数）を設定しておくことにより、短時間の長押しで所期の動作を実現することができる。さらに何秒間長押しをすれば何ステップの動作が変化するかについても、事前に予測することが可能になる。
【発明を実施するための最良の形態】
【００１１】
本発明による具体的な実施例を、以下、図１乃至図１０を参照して説明する。
【実施例１】
【００１２】
図１乃至図９により、本発明による信号送信方法の第一の実施例を説明する。図１は第一の実施例を説明するためのリモコン１０とテレビジョン受像機２０（以下、受像機という）の構成を示すブロック図である。リモコン１０は、ユーザが選択したキーの押下げが長押しかどうかを計測して、押下げられた時間データを後述の送信速度記憶部１２に送信するタイマー部１１と、当該受像機２０の後述するデータ記憶部２４に予め記憶された信号送信速度の動作モードもしくはユーザが当該受像機２０側の表示部にて設定した信号送信速度の動作モードと、当該動作モードに対応する信号送信パルス数のデータとを前記受像機２０側のマイコン２１から入手して、当該リモコン１０内部に記憶する送信速度記憶部１２と、ユーザが設定もしくは選択した信号送信速度の動作モードになるように当該動作モードを変更する送信速度変更部１３と、ユーザが設定もしくは選択した信号送信速度の動作モードで信号を送信する信号送信部１４を備えている。
【００１３】
一方、受像機２０は、前記リモコン１０の信号送信部１４から送信された送信信号が動作信号かどうかを判別するキー判別部２２と、前記リモコン１０の信号送信部１４から送信された送信信号のパルス数をカウントし、送信されたデータを後述するデータ記憶部２４に送信するカウント部２３と、前記リモコン１０のキーの異なる長押し時間に対応する信号送信速度である複数の信号送信パルス数と、後述する信号送信方式とを記憶し、さらに前記カウント部２３においてカウントされた送信信号のパルス数を含む制御信号に従って、信号送信パルス数の１単位当たりについて予め設定され記憶されている可変動作ステップ数に基づいてキー制御を行うよう後述のキー制御部２５に当該データを送信するデータ記憶部２４と、当該データ記憶部２４からの指示に従って、各処理部に所定の信号送信パルス数に相当する処理を行わせる制御データを送信するキー制御部２５とを備えている。本ブロック図に示すリモコン１０と受像機２０の構成においては、信号送信速度を規定する動作モードと後述する信号送信方式とは、そのいずれもがリモコン１０から送信される信号を受信する受像機２０側で設定され、当該設定結果をリモコン１０側に伝達することにより、信号の受信と送信が行われる。
【００１４】
以下、本発明の信号送信方法における信号送信方式を説明する。本実施例においては、信号送信方式について、リモコン１０の特定の操作キーの長押しにより送信される信号送信パルス数と、当該長押しにより受像機２０が当該特定の機能に係わる動作を行うときの動作ステップ数とが１対１の関係、つまりキーの長押しにより１０パルスの信号が送信された場合、受像機２０の実際の動作も１０ステップ分変更するようにデフォルト値が設定されているという前提で説明を進める。このように動作可変範囲が固定されている信号送信方式をワンバイワン方式と称することにする。さらに本実施例においては、上記の信号送信パルス数と可変動作ステップ数との関係をデフォルト値の１対１から、例えば１対２もしくは２対１などの任意の比例関係に変更し設定することができるようにされており、このように動作可変範囲を任意に設定することが可能な信号送信方式をオールインワン方式と称することにする。
【００１５】
信号送信方式に係わる上記のワンバイワン方式とオールインワン方式について、図２により簡単に説明する。図２は、リモコン１０の操作キーを押下げたことにより送信される信号のパルス数を示している。図２のＡはリモコン１０の操作キーに通常の押下げを行ったときに信号が１パルス分だけ送信されるワンバイワン方式を示し、Ｂは当該操作キーを仮に1秒間長押ししたときに信号が３パルス分送信され、Ｃは当該操作キーを仮に３秒間長押ししたときに信号が５パルス分送信されるオールインワン方式を示している。
【００１６】
次に図３乃至図９を参照して、本実施例による具体的な信号送信方法を説明する。図３は信号送信速度の動作モードとリモコンキーの長押し時間とに対応する送信信号パルス数の一覧表である。図３には、受像機２０の特定の機能に係わる動作の速度を連続的に変化させるための信号送信速度について、低速モード、通常モード、高速モードの３つの動作モードが予め用意されており、当該３つの動作モードの夫々について、ユーザがたとえば音量を調整したり受信チャンネルを変更するときに、リモコン１０の特定の操作キーを長押しした場合に、その長押し時間に対応して送信される送信パルス数のデフォルト値が表示されている。本実施例においては、低速モード、通常モード、高速モードのいずれの動作モードにおいても、リモコン１０の特定の操作キーが長押しされている間は、途中で信号送信速度を加速させることをせず、一定速度で反転反復するようにされており、後述の信号送信パルス数の変更と信号送信パルス数１単位当たりの可変動作ステップ数の変更とにより、データ送信数を任意に設定することにより実際の動作ステップ数を任意に変更できるようにした信号送信方法について、以下詳細に説明する。なお本実施例の説明においては、当該３つの動作モードのうち通常モードが予め選択されているものとする。なお、信号送信速度はＰＰＭ変調とし、実際の送信速度に合わせて所定の時間軸内での信号送信パルス数を変化させることができるので、高速の動作モードをユーザが選択した場合は、周波数を狭めることにより多くのパルス数を送信することができる。また上述のように、本実施例においては、信号送信パルス数と動作ステップ数との関係がデフォルト値として１対１に設定されている。なお図４に、上記デフォルト値による信号送信速度設定画面のオンスクリーン表示画面が示されている。
【００１７】
次に、図５のフローチャートに従って、本実施例によるデフォルト値による信号送信方法の手順を詳細に説明する。Ｓ１において、ユーザが例えばリモコン１０の音量キーを押下げたとする。Ｓ２で当該リモコン１０のタイマー部１１がタイムカウントを開始し、Ｓ３で当該音量キーが長押しであるかどうかを判定する。長押しでなかった場合（Ｓ３のＮＯ）、Ｓ５の通常の動作に戻る。長押しだった場合（Ｓ３のＹＥＳ）、Ｓ４で当該タイマー部１１は長押し時間を計測し、当該音量キーの長押し時間が例えば３秒間であったことを検出し、当該時間データを送信速度記憶部１２に送信する。
【００１８】
Ｓ６において、信号送信速度の動作モードとして予め選択された通常モードに対応する信号送信パルス数を記憶している送信速度記憶部１２は、前記タイマー部で検出された音量キーの長押し時間３秒間に対応する信号送信パルス数が図３に示す１５パルスであることを確認し、送信速度変更部１３は、予め選択された動作モードである通常モードにより信号送信が行われるように、信号送信速度の動作モードを通常モードに変更する。次いでリモコン１０の信号送信部１４から所定の動作に係わる信号データが受像機２０のマイコン２１のキー判別部２２に送信され、カウント部２３に送る。当該カウント部２３は受信した信号のパルス数が１５パルスであることをカウントし、当該データをデータ記憶部２４に送信する。Ｓ７で、当該データ記憶部２４は、予め記憶している信号送信パルス数１単位当たりの可変動作ステップ数である1対１の比率に従って、前記カウント部２３から送信された送信信号パルス数である１５パルスに対応する可変動作ステップ数を１５ステップとしてキー制御を行うよう、キー制御部２５に対してデータを送信する。Ｓ８において、当該キー制御部は、前記データ記憶部２４からの指示に従って、各処理部に対して所定のパルス数に対応する動作ステップを実行するよう制御データを送信する。
【００１９】
以上により、ユーザがリモコン１０の音量キーを3秒間だけ長押しした場合に、デフォルト設定された動作モードである通常モードにより、デフォルト設定された信号送信パルス数１単位当たりの可変動作ステップ数である1対１の関係に基づいて、１５ステップの動作ステップに相当する連続的な音量調整動作が実行される。
【００２０】
次に本実施例において、信号送信速度として予め設定されていた低速モード、通常モード、高速モードの３つの動作モードの夫々について、リモコン１０の特定のキーの長押し時間に対応して送信される送信パルス数のデフォルト値を、ユーザが変更する方法を図６及び図７を参照して説明する。図６は、本実施例においてユーザが各動作モードに対する送信パルス数を変更設定する場合に使用するオンスクリーン画面であり、図７はユーザが各動作モードに対する送信パルス数を変更設定する場合の手順を示すフローチャートである。
【００２１】
音量の調整又は受信チャンネルの変更等に際する信号送信速度を変更しようと思い立った場合、図７のＳ１０でユーザはメインメニュー画面（図示せず）から図６に示す信号送信速度設定画面を選択してオンスクリーン画面に表示させる。図６に示された信号送信パルス数は、図３のデフォルト値がそのまま表示されている。次にＳ１１で、長押し時間に対応する前記複数の動作モード、すなわち本実施例では低速モード、通常モード、高速モードの３つの動作モードの送信信号パルス数について、前記信号送信速度設定画面においてリモコン１０の数値キーもしくはＵＰ／ＤＯＷＮキーを操作して、例えば通常モードの長押し時間３秒間に対応するデフォルト値の信号送信パルス数である１５パルスを例えば２０パルスに変更することにより、信号送信速度を実現する信号送信パルス数を前記デフォルト値による１５パルスに代えてユーザ所望の２０パルスに任意に設定することができる。この信号送信速度の変更設定は、マイコン２１内部のソフトプログラムの中で、任意のアドレスに任意のデータを設定することで対応が可能である。
【００２２】
なお本実施例のように、リモコン１０の特定キーの長押しによる特定機能の動作速度を連続的に変化させるための信号送信速度が、低速モード、通常モード、高速モードの３つの動作モードとして予め用意されているような場合は、ユーザが設定できる信号送信パルス数について、各動作モードに応じ設定可能な信号送信パルス数の範囲を予め定めておくことにより、低速モードの信号送信パルス数については通常モードの信号送信パルス数以上の数値を設定できないようにし、通常モードの信号送信パルス数については低速モードの信号送信パルス数以下の数値を設定できず、かつ高速モードの信号送信パルス数以上の数値を設定できないようにし、さらに高速モードの信号送信パルス数については通常モードの信号送信パルス数以下の数値を設定できないように制限を設けておくことが望ましい。
【００２３】
次に本実施例において、信号送信パルス数１単位当たりについて予め設定され記憶されていた可変動作ステップ数をユーザが変更するための信号送信方式の変更方法について図８及び図９を参照して説明する。本実施例においては、デフォルト値として予め設定されたワンバイワン方式からオールインワン方式に変更する場合の手順を説明する。図８は、本実施例において、信号送信パルス数の１単位当たりについて予め設定され記憶されていた可変動作ステップ数をユーザが変更設定する場合に使用するオンスクリーン画面であり、図９はユーザが当該可変動作ステップ数を変更設定する場合の手順を示すフローチャートである。
【００２４】
音量の調整又は受信チャンネルの変更等に際する信号送信パルス数１単位当たりに予め設定されていた可変動作ステップ数を変更しようと思い立った場合、図９のＳ２０でユーザは前記信号送信速度設定画面（図４）の「２送信方式」を選択すると、図８に示すオールインワン方式設定画面がオンスクリーン画面に表示される。図８には、音量調整の機能について、動作モードが低速モードであり、信号送信パルス数１単位当たりの予め設定されている可変動作ステップ数がデフォルト値の１ステップであることが表示されている。次にＳ２１で、動作項目について、例えば音量調整、受信チャンネル変更の中から変更したい項目を選択する。さらにＳ２２において、リモコン１０の数値キーもしくはＵＰ／ＤＯＷＮキーを操作することにより、ユーザは所望の可変動作ステップ数を前記デフォルト値に代えて任意に設定することができる。これにより、例えば音量調整の低速モードの場合は、信号送信パルス数１単位当たりの可変動作ステップ数を２と設定し、受信チャンネル変更の高速モードの場合は、信号送信パルス数１単位当たりの可変動作ステップ数を３と設定することができる。この可変動作ステップ数の変更設定は、マイコン２１内部のソフトプログラムの中で、任意のアドレスに任意のデータを設定することで対応が可能である。
【００２５】
以上の第一の実施例では、音量調整や受信チャンネル変更など受像機２０の特定の機能に係わる動作の速度をユーザが変更する場合に、受像機２０側において当該特定の機能の動作に係わる信号送信速度及び信号送信方式の設定が行われ、当該設定の結果がリモコン１０側に伝達されるようにした機器構成での信号送信方法を説明した。
【実施例２】
【００２６】
以下、図１０を参照して、本発明による信号送信方法の第二の実施例を説明する。本実施例においては、音量調整や受信チャンネル変更など受像機２０の特定の機能に係わる動作の速度をユーザが変更する場合に、信号送信速度及び信号送信方式の設定をリモコン１０側で完結するようにした信号送信方法について詳細な説明を行う。本実施例では、液晶表示部又は変更切換専用スィッチもしくは変更切換専用キーを設けたリモコン１０を使用し、さらに以下説明するように、先の実施例１では受像機２０側のデータ記憶部２４で果たしていた機能を、リモコン１０内部のマイコン内に取込むことにより、リモコン１０単独で信号送信速度及び信号送信方式の設定を行うことを可能にした信号送信方法を説明する。
【００２７】
図１０は第二の実施例を説明するためのリモコン１０と受像機２０の構成を示すブロック図である。リモコン１０は、ユーザが選択したキーの押下げが長押しかどうかを計測して、押下げられた時間データを後述の送信速度記憶部１２に送信するタイマー部１１と、後述するデータ記憶部２４に予め記憶された信号送信速度の動作モードもしくはユーザが当該リモコン１０により設定した信号送信速度の動作モードと、当該動作モードに対応する信号送信パルス数のデータとを記憶する送信速度記憶部１２と、ユーザが設定もしくは選択した信号送信速度の動作モードになるように当該動作モードを変更する送信速度変更部１３と、ユーザが設定もしくは選択した信号送信速度の動作モードで信号を送信する信号送信部１４と、当該リモコン１０のキーの異なる長押し時間に対応する信号送信速度である複数の信号送信パルス数と、信号送信方式とを記憶し、さらに送信信号のパルス数を含む制御信号に従って、信号送信パルス数の１単位当たりについて予め設定され記憶されている可変動作ステップ数に基づいてキー制御を行うよう受像機２０側のキー制御部２５に当該データを送信するデータ記憶部１５と、当該信号データを制御する制御部１６と、受像機側の各処理部に対して所定の信号送信パルス数に相当する処理を行わせるための指示を出す指示部１７とを備えている。
【００２８】
一方、受像機２０は、前記リモコン１０の信号送信部１４から送信された送信信号が動作信号かどうかを判別するキー判別部２２と、前記リモコン１０の信号送信部１４から送信された送信信号のパルス数をカウントするカウント部２３と、当該カウント部２３及びリモコン１０から送信される信号データに従って、各処理部に所定の信号送信パルス数に相当する処理を行わせる制御データを送信するキー制御部２５とを備えている。本ブロック図に示すリモコン１０と受像機２０の構成においては、信号送信速度を規定する動作モードと後述する信号送信方式とは、そのいずれもがリモコン１０において設定され、当該設定結果を含む動作信号を受像機２０側に伝達することにより、所定の処理を行わせることができる。
【００２９】
上記の構成における本発明による信号送信方法の実際の手順については、図３乃至図９を参照して詳細に説明した前記実施例１の手順と同じであるので、重複を避けるためにこれ以上の説明は省略する。
【実施例３】
【００３０】
先の実施例の説明においては、受像機２０の特定の機能に係わる動作の速度を連続的に変化させるための信号送信速度について、低速モード、通常モード、高速モードの３つの動作モードが予め用意されているという前提で説明を進めたが、リモコン１０の音量調整用ＵＰ／ＤＯＷＮキー、受信チャンネル変更用ＵＰ／ＤＯＷＮキー等の特定の機能に係わる操作キーに対応させることにより、例えば音量調整モード、受信チャンネル変更モードのように機能別に設定することもできる。そうすることで、予め動作モード毎に信号送信パルス数と信号送信パルス数１単位当たりの可変動作ステップ数とをユーザが任意に設定しておくことにより、例えば、ケーブルテレビのように多数の受信チャンネルを視聴しているユーザが受信チャンネルを変更する場合に、受信チャンネル変更用ＵＰ／ＤＯＷＮキーを所定時間長押しするだけで、急激な動作ステップ数で多数の受信チャンネルを短時間に変更することができるように、信号送信速度と信号送信方式を設定することができる。又、深夜にテレビの番組を視聴するユーザの場合は、音量調整用ＵＰ／ＤＯＷＮキーを所定時間長押ししても、急激な動作ステップ数で突然騒音となる事態にならないように、信号送信速度と信号送信方式を設定することができる。  
【００３１】
上述の実施例の説明においては、電子機器の特定の機能として、音量調整と受信チャンネル変更を具体例として説明してきたが、それらの機能以外に、ＥＰＧ画面で特定の時間帯の番組や特定曜日の所望の時間帯の番組を選択して予約設定するような場合にも、リモコンのＵＰ／ＤＯＷＮキーの長押し操作により、所望日時の検索と選択に係わる信号送信速度を変化させることで、検索時間を短縮することが可能である。その他、メニュー画面での各種項目選択の操作や、時計合わせの操作等においても、リモコンの所定のキーを長押しするすることにより、操作に要する時間を短縮することができる。さらに特定の機能として、上述の各機能の他に、特定のリモコンキーを使用する機能、例えば上下左右キー、ＵＰ／ＤＯＷＮキー、あるいはＶＣＲのトラッキングキー等を使用する機能も含まれる。
【００３２】
さらに、先の実施例１においては、動作モードを３種類として説明したが、３種類に限らずユーザの任意の数による複数種類の動作モードを設定することができる。又、先の実施例１においては、低速モード、通常モード、高速モードの３つの動作モードを前提にしたうえで、ユーザが設定できる信号送信パルス数について、各動作モード間の動作速度が逆転しないように、各動作モードに応じ設定可能な信号送信パルス数の範囲を予め定めておくことが望ましいと説明したが、本発明によれば、信号送信速度と信号方式がユーザの任意に設定できるので、必ずしも動作モードを低速モード、通常モード、高速モードのように固定して設定する必要はなく、Ａモード、Ｂモード、Ｃモード・・・のように、ユーザの個々の事情に応じて自由に設定することができることを申し述べておく。
【図面の簡単な説明】
【００３３】
【図１】本発明の第一の実施例を説明する電子機器とリモコンの構成を示すブロック図
【図２】リモコンの操作キーを押下げたことにより送信される信号のパルス数
【図３】本発明の第一の実施例を説明する信号送信速度の動作モードとリモコンキーの長押し時間とに対応する送信信号パルス数の一覧表
【図４】本発明の第一の実施例を説明する信号送信速度設定画面のオンスクリーン表示画面
【図５】本発明の第一の実施例を説明する信号送信方法のフローチャート
【図６】本発明の第一の実施例における送信パルス数のユーザによる変更設定画面
【図７】本発明の第一の実施例における送信パルス数をユーザが変更設定するときのフローチャート
【図８】本発明の第一の実施例における信号送信パルス数１単位当たりの可変動作ステップ数のユーザによる変更設定画面
【図９】本発明の第一の実施例における信号送信パルス数１単位当たりの可変動作ステップ数をユーザが変更設定するときのフローチャート
【図１０】本発明の第二の実施例を説明する電子機器とリモコンの構成を示すブロック図
【符号の説明】
【００３４】
１０  リモコン送信機
１１  タイマー部
１２  送信速度記憶部
１３  送信速度変更部
１４  信号送信部
１５  データ記憶部
１６  制御部
１７  指示部
２０  テレビジョン受像機
２１  マイコン
２２  キー判別部
２３  カウント部
２４  データ記憶部
２５  キー制御部
【図１】
2006229664.tif 000003
【図２】
2006229664.tif 000004
【図３】
2006229664.tif 000005
【図４】
2006229664.tif 000006
【図５】
2006229664.tif 000007
【図６】
2006229664.tif 000008
【図７】
2006229664.tif 000009
【図８】
2006229664.tif 000010
【図９】
2006229664.tif 000011
【図１０】
2006229664.tif 000012